(57)【要約】【目的】多量要素や微量要素の肥料有効成分を基剤とし、転流物質添加による糖の転流の正常化と生理活性物質であるビタミンＢ６、Ｃ及び含硫アミノ酸（含むその代謝中間体）そしてショ糖，ソルビトール，トレハロース等の糖による代謝の正常化でもって、効果的に品質及び収量の向上を図り、そして害虫の殺虫・忌避を行うことで病気・障害の予防を行う。【構成】植物の多量栄養要素や微量要素を基剤に、有機物であるビタミン（Ｂ６とＣ）、含硫アミノ酸（含むその代謝中間体）、糖類（ショ糖やソルビトールまたトレハロース）の機能的な有効成分を添加した植物全般の肥料組成物。【選択図】          図１
2004224677.tif 000002
【特許請求の範囲】
【請求項１】
肥料原料と言われている無機化合物，有機物，無機化合物と有機物の混合物からなる群の少なくともいずれか１つを混合した肥料物の基剤に、補酵素であるビタミンＢ６，ビタミンＣ及び転流物質である糖類のショ糖，ソルビトール，トレハロースからなる群の少なくともいずれか１つの糖類そして含硫アミノ酸（シスチン，システイン，メチオニン等）及びその代謝中間体（例えば、ホモシスチン，システインスルホン酸，システイン酸，チオシステイン，タウリン，ジエンコール酸，シスタチオニン，Ｓ−アリルシステイン，ランチオニン，エチオニン，ポリアミン等）からなる群の少なくともいずれか１つの物質を混合して撹拌し、均一化したことを特徴とする抗線虫及び病害虫等による食害軽減効果と抗ウイルス効果とを有する肥料組成物。
【発明の詳細な説明】
【０００１】
【発明の属する技術分野】
本発明は植物の肥料に関し、植物全般特に農作物・野菜・果樹及び花卉・洋ラン等の品質と収量の向上そして抗線虫効果と線虫等の病害虫による食害軽減効果及び抗ウイルス効果を目的とする肥料に関する。
【０００２】
【従来の技術】
従来は、チッソ・リン酸・加里・苦土・石灰等の植物多量栄養素である五大栄養要素を主成分に、ホウ素・銅・モリブデン・マンガン・亜鉛等の微量要素を副成分とし、個々の植物（作物）又は品種の理想的な養分吸収特性を考慮して、多量栄養素と微量要素の様々な組合せで配合された肥料が商品化されている。
【０００３】
また、近年植物活性剤や植物栄養剤等の名称で、アミノ酸，ビタミン類，低分子〜高分子の核酸類の植物ホルモン様物質や植物ホルモン様物質等を成分とし、施用する事により農薬的効果を期待するような商品も数多く上市されている。
【０００４】
しかし、従来の技術でもって植物を栽培すると、ある程度の品質と収量の収穫物を確保できるが、天候不順による転流物質の欠乏、線虫による食害、食害によって生じる生理障害、そして二次感染によるウイルス病等の対応と対策手段に致命的欠陥があるため、樹勢の低下や生理障害等により収穫物の品質・収量の低下を招いている。
【０００５】
【発明が解決しようとする課題】
従来行われている無機化合物，有機物，無機化合物と有機物の混合物等により構成されている肥料物の施用では、転流物質の補強や線虫への対応及び病気抵抗性の向上等に対して手を拱くばかりであった。
【０００６】
このような従来の問題点を解決するために、本発明者は当該肥料組成物を用いて鋭意研究と実験を繰り返したところ、線虫による根の食害によって生じる生理障害と二次感染によるウイルス病等発生率を著しく減少させ、収穫物の品質・収量等の向上のみならず、線虫をも減少させる新知見を得た。
【０００７】
そこで、本発明は植物内の代謝物質であるポリアミン濃度を高め、老化速度を抑制し、転流物質の糖類等の補強による転流促進により恒常性維持と収穫物の品質及び収量の向上を図ると同時に、線虫等の食害防止のために含硫アミノ酸とその代謝中間体（含む、ポリアミン）を蓄積させ耐病性の向上を目的とする。
【０００８】
【課題を解決するための手段】
本発明の上記目的を達成させるための手段を、以下に説明する。
無機化合物，有機物，無機化合物と有機物の混合物からなる群の少なくともいずれか１つを混合した肥料物の基剤に、補酵素であるビタミンＢ６とビタミンＣ及び転流物質である糖類のショ糖，ソルビトール，トレハロースからなる群の少なくともいずれか１つの糖類そして含硫アミノ酸のシスチン，システイン，メチオニン及びその代謝中間体（例えば、ホモシスチン，システインスルホン酸，システイン酸，チオシステイン，タウリン，ジエンコール酸，シスタチオニン，ｓ−アリルシステイン，ランチオニン，エチオニン，ポリアミン等）の群の少なくともいずれか１つの物質を混合した肥料組成物により達成される。
【０００９】
【作用】
植物の葉肉細胞では、太陽エネルギーを固定・供給する供給基地として、光合成作用により炭水化物が生成される。生成された炭水化物は転流物質の形態となり、蓄積したエネルギーを根・茎・生長点などの重要な器官に供給される。転流物質の形態は種により異なり、野菜であればショ糖，果樹であればソルビトール（糖アルコール）の形態が一般的である。ソルビトールはビタミンＣ（アスコルビン酸）の作用でＮＡＤＰ（Ｈ）還元酵素が活性化されることにより、グルコースやフラクトースに代謝される。
【００１０】
転流物質量は光合成量と関係するため、日照不足，炭酸ガス不足，栄養・肥料不足，水不足等の不測の事態には、転流物質の量も低下する。この不測事態の対応と対策は、植物の転流物質である糖類（例えば、ショ糖，ソルビトール，トレハロースなど）の補給を行うことである。
【００１１】
次に、含硫アミノ酸及びその代謝中間体に関して、植物ホルモンのエチレン生成の基質であり、ビタミンＢ６とビタミンＣ及び植物体内の鉄存在下で、エチレンが生成されることが知られている。
【００１２】
エチレンは対象器官中の糖化酵素を活性化し、炭水化物等を基質として糖を生成する。また同時に、補酵素のビタミンＢ６はアミノ転移酵素を活性化し、旨味の物質であるアミノ酸生成を促進させる。この一連の代謝により、品質向上，食味向上の目的を達成することが出来る。一方、ビタミンＣは活性酸素の消去や抗ウイルス，抗細菌の作用を有することが知られており、収穫物の品質向上や収量アップに寄与している。
【００１３】
植物ホルモンであるエチレン生成の基質である含硫アミノ酸のシステインは、タンパク高次構造を構築するキーとなるアミノ酸である。このシステインをタンパク主成分の構造体であるウイルスに作用させると、ウイルスは非特異的に結合し凝集される。結果、植物は植物病原性ウイルスによる感染から解放される。
【００１４】
更に、含硫アミノ酸を基質にエチレンが生成される一方、細胞壁（一次細胞壁及び二次細胞壁）の形成や病気抵抗性に強く関与する、ポリアミン濃度も高まる（図１）。ポリアミンとその誘導体はヒトに対して無毒の抗生物質やクモ毒等の構成成分となり、細菌，カビ，線虫，害虫等に対し、殺菌，殺虫，忌避等の効果を有する。また、ポリアミンとその誘導体から、ニコチン，アナバシン，アトロピン等も代謝される。
【００１５】
ポリアミンとその誘導体による抗線虫や害虫等への忌避効果の主たる機序について述べると、ポリアミンとその誘導体は植物体内でニコチン，アナバシン，アトロピン等に代謝され、これらの物質を吸収した線虫及び害虫は吸収された濃度により、興奮〜神経マヒ〜死という生理現象に至ることになる。当該肥料組成物を葉面散布すると、アブラムシやダニ等の忌避が生じ、また、線虫が激減する現象が多々生じている。
【００１６】
【発明の実施の態様】
以下、この発明の実施の態様を実施例によって明らかにする。
【００１７】
【実施例１】
本発明である肥料組成物の植物への実施例を、説明する。本実施例の肥料組成物の配合を表１に示す。
【００１８】
【表１】
2004224677.tif 000003
2004224677.tif 000004
【００１９】
（１）散布方法：表１の成分を含む肥料組成物の１０００倍液（電気伝導度：１，４、ＰＨ：５．０）を作り、７〜１０日に１回の散布間隔で散布する。植物全体を丁寧に散布する。
（２）散布量：株当たり５０〜４００ｍｌとする。（農薬と異なり、充分に散布する）双葉が充分に展開した育苗時から栽培の全ステージで散布する。
【００２０】
（３）耕種概要（実施場所：栃木県南河内町、キウリ農家）
作物  ：キウリ（品種：シャープ１）
播種日：平成８年１０月２９日
定植日：平成８年１１月２０日
【００２１】
（４）結果：散布効果を確認した結果を表２と３に示す。（栽培期間：平成８年１１月〜平成９年５月）例年、当実施例農家は、春先になると根瘤線虫の食害により、栽培の中断を余儀なくされるが、栽培を無事終了する事ができた。
【００２２】
【表２】
2004224677.tif 000005
2004224677.tif 000006
本実施例より従来の栽培法に比べ、収量が明らかに向上することが判明した。
【００２３】
【表３】
2004224677.tif 000007
本実施例より、従来の栽培法に比べ農薬散布回数が減少することが判明した。
【００２４】
【実施例２】
次に、イチゴでの実施例を説明する。
【００２５】
（１）実施場所：福岡県大木町、イチゴ農家（品種：とよのか）
（２）散布方法：表１の肥料組成物の１０００倍液を作り、７〜１０日に１回の散布間隔で、散布を行う。
（３）成分分析：各内容成分の測定方法に関して、以下の方法で分析をした。
▲１▼糖度（Ｂｒｉｘ）：糖度計法、▲２▼グルコース：グルコーステストワコー法、
▲３▼フラクトース：ＨＰＬＣ法、  ▲４▼キシロース：ＨＰＬＣ法、
▲５▼ビタミンＣ：フェニルヒドラジン法等の方法で測定した。
（４）結果：結果を表４に示す。（栽培期間：平成１１年７月〜平成１２年４月）
【００２６】
【表４】
2004224677.tif 000008
【００２７】
植物の細胞壁（一次細胞壁及び二次細胞壁）は細胞壁多糖類により構成されており、イチゴの細胞壁多糖類はキシログルカンである。植物ホルモンのエチレン作用の１つに、植物体の肥大成長ある。これは、エチレンにより様々な細胞壁分解酵素が分泌され活性化し、細胞壁多糖類を分解しながら細胞壁を再構築するので肥大が生じる。イチゴ成分の分析結果より、当該肥料組成物を施用すると、キシロースの異常な増加が見られることより、エチレンの生成が行われ肥大していことの確認が得られ、また、品質向上としての糖度アップも確認された。
【００２８】
【実施例３】
実施例３は、本発明の肥料組成物中の内容成分の抗ウイルス効果を説明する。
（１）試験方法：ウイルスの定量法の局部病斑算定法（タバコ半葉法：植物病理学実験法（Ｐ１５７、講談社））を準拠し、本発明の肥料組成物の成分であるＬ−システインと市販農薬の抗ウイルス剤の病斑阻止率を調べた。
（２）結果：抗ウイルス効果を確認した結果を表９に示す。
【００２９】
【表５】
2004224677.tif 000009
市販農薬の殺菌剤（抗ウイルス剤：シイタケ菌糸体抽出物剤）を対照として、含硫アミノ酸のＬ−システインの抗ウイルス性を確認したところ、市販農薬の効果には及ばなかったが、抗ウイルスの機序が不確定であり不明のシイタケ菌糸体抽出物よりも、非常に安全であるアミノ酸のＬ−システインに抗ウイルス効果があることが確認された。
【００３０】
【実施例４】
実施例４は、本発明の肥料組成物の抗線虫及び忌避効果を説明する。
（１）試験方法：線虫の採取及び飼育の方法（生物観察実験ハンドブック（１８０〜１８３ページ）、朝倉書店）を準拠し、本発明である肥料組成物の抗線虫及び忌避効果を調べた。
【００３１】
以下に、実験操作を説明する。
（１）実施場所：茨城県結城市、トマト農家
（２）操作方法：実施例１を準拠した。
▲１▼散布間隔：７〜１０日に１回の間隔で、葉面から散布液が落ちる程度に散布を行う。
▲２▼散布時期：トマト定植直後から開始。（トマト苗の選別：第一花房の花が２〜３個開花した同程度に生育したトマト各区５本選定し、畦畔板で仕切ったベッドに５０ｃｍの株間で定植した。）
（３）線虫調査：定植後４０日後に、半分に切った温州みかんを各区の３本目のトマトの根圏地下５ｃｍに埋め、１２日後に掘り出したみかん中の線虫数を測定した。
（４）結果：効果確認した結果を
【００３２】
【表６】
2004224677.tif 000010
線虫は、天然培地の温州みかん中で培養されるが、実施例区の線虫数は明らかに減少していた。
【００３３】
【発明の効果】
本発明によれば、健苗の育成、樹勢の維持、品質の向上、収量増加等を図ることができる。特に、含硫アミノ酸（含むその代謝中間体）と水溶性ビタミンのＢ６とＣを植物体に吸収・代謝させ、ポリアミンを積極的に生成させることにより病害虫の殺虫や忌避的な効果が期待されるばかりでなく、システイン自身にも抗ウイルス効果を有することが確認されたことは、無農薬栽培，無公害栽培，オーガニック栽培（有機栽培）等の確立の１助になると考察する。
【図面の簡単な説明】
【図１】本発明の肥料組成物の作用機序を説明する推定図である。
【図１】
2004224677.tif 000011
【手続補正書】
【提出日】平成15年3月27日(2003.3.27)
【手続補正１】
【補正対象書類名】明細書
【補正対象項目名】０００８
【補正方法】変更
【補正の内容】
【０００８】
【課題を解決するための手段】
本発明の上記目的を達成させるための手段を、以下に説明する。
無機化合物，有機物，無機化合物と有機物の混合物からなる群の少なくともいずれか１つを混合した肥料物の基剤に、補酵素であるビタミンＢ６とビタミンＣ及び転流物質である糖類のショ糖，ソルビトール，トレハロースからなる群の少なくともいずれか１つの糖類そして含硫アミノ酸のシスチン，システイン，メチオニン及びその代謝中間体（例えば、ホモシスチン，システインスルホン酸，システイン酸，チオシステイン，タウリン，ジエンコール酸，シスタチオニン，ｓ−アリルシステイン，ランチオニン，エチオニン，ポリアミン等）の群の少なくともいずれか１つの物質を混合した肥料組成物により達成される。尚、上記無機化合物として、水も用いることが出来る。